(57)【要約】【課題】係止片の構造が単純で、係止片がスムーズに移動できる管継手を提供すること。【解決手段】係止片２は、継手本体１に形成した軸線Ｌと前方方向に鈍角θをなす傾斜面１１aをもつ切欠部１１内に収容されているとともに、この切欠部１１内の傾斜面１１aに摺接しつつ係合位置と解除位置との間での傾斜面１１aの傾斜方向への移動を可能とされている。【選択図】図１
2010286061.tif 000002
【特許請求の範囲】
【請求項１】
相手側筒状部材の雄ネジ状接続部が軸線方向に挿抜される筒状の継手本体と、内面に雌ネジ部が形成され、その雌ネジ部を前記雄ネジ状接続部へ係合させる係合位置と前記雄ネジ状接続部から解離させる解除位置との間で変位する係止片とを備えてなり、
前記係止片が前記係合位置に変位することにより前記相手側筒状部材との接続状態に保持されるとともに、前記係止片が前記解除位置に変位することにより前記雄ネジ状接続部の軸線方向への挿抜を可能とするものであって、
前記係止片は、前記継手本体に形成した軸線と前方方向に鈍角をなす傾斜面をもつ切欠部内に収容されているとともに、この切欠部内の前記傾斜面に摺接しつつ前記係合位置と前記解除位置との間での前記傾斜面の傾斜方向への移動を可能とされており、前記雄ネジ状接続部の前記継手本体への挿入動作に伴い、規制部を軸方向へ変位させつつ前記係止片の外周に対し軸方向の所定領域に亘って宛うことによりその係止片を前記解除位置側への変位規制状態にロックするロック機構を備えていることを特徴とする管継手。
【請求項２】
前記切欠部は、前記軸線と直角をなし前記傾斜面と背向する直角壁面をもち、
前記係止片は、前記係合位置に変位したとき前記直角壁面に当接する後端面をもつ請求項１に記載の管継手。
【請求項３】
前記係止片を前記傾斜面に摺接させつつ前方上方に押動する前方に付勢されたプッシャーを備える請求項１または２に記載の管継手。
【発明の詳細な説明】
【技術分野】
【０００１】
本発明は、冷熱空調機に対する冷媒ガス充填用機器の接続、吸水・給湯用配管、ガス配管、パイプ状製品の漏れ検査などの配管に際して、相手側の雄ネジ部にワンタッチ接続できるようにした管継手に関するものである。
【背景技術】
【０００２】
この種の管継手として、相手側筒状部材の雄ネジ状接続部に対して、内面に雌ネジ部が形成されている係止片を係合させることにより接続するようにしたものがある。図５に示すように、管継手Ｃ1は係止片７１を筒状の継手本体７２の先端に拡開変位可能に軸支してなり、軸線方向にスライドするスリーブ７３により係止片７１が閉じた状態にロックされている。図６に示すように、スリーブ７３を後退させると、ロックが解除され、係止片７１が解除バネ７４の付勢により拡開するので、この状態で相手側筒状部材Ｔの雄ねじ状接続部Ｍを挿入し、挿入したらスリーブ７３から手を離す。すると、復帰バネ７５によりスリーブ７３が係止片７１を閉じ方向へ変位させ、雌ネジ部７６と雄ネジ状接続部Ｍが係合する。これにより、相手側筒状部材Ｔとの接続状態にロックされる。
【０００３】
上記の管継手Ｃ1では、相手側筒状部材Ｔの挿入時に雌ネジ部７６を雄ネジ状接続部Ｍと干渉しないように外側へ退避させる必要があるが、係止片７１が支持軸７７を中心として傾動変位するようになっているため、雌ネジ部７６の支持軸７７から遠いネジ山の退避ストロークが必要以上に大きくなってしまい、その結果管継手Ｃ1全体の外径寸法が大きくなる。もし、支持軸７７から遠いネジ山の退避ストロークを小さくしようとすると、雌ネジ部７６から支持軸７７までの距離を大きくしなければならないため、今度は軸方向の長さが大きくなってしまう。
【０００４】
そこで、継手本体に形成された切欠部にバネを介して装着された係止片を、軸線方向における切欠部の前後両面に摺接しつつ径方向に移動させる管継手が考案された（例えば、特許文献１参照。）。
【先行技術文献】
【特許文献】
【０００５】
【特許文献１】特開平１１−２０１３５２号公報
【発明の概要】
【発明が解決しようとする課題】
【０００６】
上記従来の管継手は、係止片を径方向に移動させるバネを必要とし、係止片の構造が複雑になる。また、係止片が継手本体の切欠部の前後両面に摺接しながら径方向に移動する構造であるため、摺接面の摩擦抵抗や異物の咬み込み等により係止片がスムーズに移動できない場合がある。
【０００７】
本発明は、上記の問題に鑑みてなされたもので、係止片の構造が単純で、係止片がスムーズに移動できる管継手を提供することを課題とする。
【課題を解決するための手段】
【０００８】
課題を解決するためになされた本発明に係る管継手は、相手側筒状部材の雄ネジ状接続部が軸線方向に挿抜される筒状の継手本体と、内面に雌ネジ部が形成され、その雌ネジ部を前記雄ネジ状接続部へ係合させる係合位置と前記雄ネジ状接続部から解離させる解除位置との間で変位する係止片とを備えてなり、前記係止片が前記係合位置に変位することにより前記相手側筒状部材との接続状態に保持されるとともに、前記係止片が前記解除位置に変位することにより前記雄ネジ状接続部の軸線方向への挿抜を可能とするものであって、前記係止片は、前記継手本体に形成した軸線と前方方向に鈍角をなす傾斜面をもつ切欠部内に収容されているとともに、この切欠部内の前記傾斜面に摺接しつつ前記係合位置と前記解除位置との間での前記傾斜面の傾斜方向への移動を可能とされており、前記雄ねじ状接続部の前記継手本体への挿入動作に伴い、規制部を軸方向へ変位させつつ前記係止片の外周に対し軸方向の所定領域に亘って宛うことによりその係止片を前記解除位置側への変位規制状態にロックするロック機構を備えていることを特徴としている。
【０００９】
上記の管継手において、前記切欠部は、前記軸線と直角をなし前記傾斜面と背向する直角壁面をもち、前記係止片は、前記係合位置に変位したとき前記直角壁面に当接する後端面をもつとよい。
【００１０】
また、上記の管継手は、前方上方（斜め上方）に押動する前方に付勢されたプッシャーを備えるとよい。
【発明の効果】
【００１１】
係止片は、継手本体に形成した軸線と前方方向に鈍角をなす傾斜面をもつ切欠部内に収容されているだけであり、構造が単純である。
【００１２】
また、係止片は、切欠部内の傾斜面に摺接しつつ前記傾斜面の傾斜方向への移動を可能とされており、摺接面の摩擦抵抗や異物の咬み込み等による移動不良が起きることがない。
【００１３】
切欠部が前記軸線と直角をなし前記傾斜面と背向する直角壁面をもち、前記係止片が前記係合位置に変位したとき前記直角壁面に当接する後端面をもつので、係止片が解除位置に変位する際、直角壁面と後端面との間に隙間ができる。その結果、係止片の解除位置への変位が一層スムーズに行われる。
【００１４】
プッシャーを備えているので、係止片は切欠部内の傾斜面に摺接しつつ傾斜面の傾斜方向へスムーズに移動することができる。
【図面の簡単な説明】
【００１５】
【図１】係止片が係合位置にある本発明の管継手の断面図である。
【図２】図１の矢印Ａ方向から見た管継手の平面図である。
【図３】本発明の管継手の継手本体の平面図と断面図である。
【図４】係止片が解除位置にある本発明の管継手の部分断面図である。
【図５】係止片が係合位置にある従来の管継手の断面図である。
【図６】係止片が解除位置にある従来の管継手の部分断面図である。
【発明を実施するための形態】
【００１６】
本発明の実施形態を図面に基づいて以下に詳しく説明する。
【００１７】
実施形態の管継手Ｃは、相手側筒状部材Ｔの雄ネジ状接続部Ｍに対してワンタッチで接続・取外しできるようにしたものである。
【００１８】
管継手Ｃは、継手本体１と係止片２を備えてなり、相手側の雄ねじ状接続部Ｍに対し、係止片２の内面の雌ネジ部２aを係合させることにより接続される。
【００１９】
継手本体１は筒状をなし、その前端部には雄ねじ状接続部Ｍが挿入されるようになっており、後端部内周にはアダプタ６が螺合されている。このアダプタ６には図示しない管がねじ込みにより接続される。継手本体１の前端部においては、その内周から外周に貫通する上下一対の切欠部１１が形成されている。
【００２０】
切欠部１１は、上下方向から視て方形に開口し、その軸線Ｌと直交する断面は、図３aに示すように、概ね櫛形をなしている。切欠部１１は、図３bに示すように、軸線Ｌと前方方向に鈍角θをなす傾斜面１１aと、軸線Ｌと９０°をなす直角壁面１１bとをもつ。
【００２１】
この両切欠部１１には、夫々、断面櫛形をなす曲面板状の係止片２が収容されている。係止片２の外周面２aは、継手本体１の外周面と同一曲率の円弧形をなしている。係止片２の内側の面のうち中央部２dは継手本体１の内周面と同一曲率の円弧形をなし、この円弧形領域には、雄ネジ状接続部Ｍと係合可能な雌ネジ部２aが形成されている。また、係止片２は、前端部に切欠部１１の傾斜面１１aに当接する前傾斜面２cをもつ。また、係止片２は、後端部に後述するプッシャー４と当接する後傾斜面２eと接続時に切欠部１１の直角壁面１１bと当接する後端面２gとをもつ。
【００２２】
次に、ロック機構Loについて説明する。継手本体１には径方向に貫通するボール支持孔１２が形成され、このボール支持孔１２にロックボール１３が径方向の移動可能に収容されている。ロックボール１３の外径寸法は継手本体１の厚さよりも大きく設定されているため、ロックボール１３は継手本体１の内周側と外周側の少なくとも一方に必ず突出する。
【００２３】
継手本体１内には、ピストン３が軸方向の移動可能に且つスプリング３１によって前方（雄ねじ状接続部Ｍに接近する方向）へ付勢されて設けられている。ピストン３の前端部にはパッキン３２とシールＯリング３３が嵌着され、後端部外周には継手本体１との間をシールするＯリング３４が嵌着されている。
【００２４】
ピストン３の外周と継手本体１の内周との間には、ボール押動用スライドカラー３５が軸方向の移動可能に且つスプリング３６により前方（ロックボール１３を外周側へ押動する方向）へ付勢されて設けられている。このボール押動用スライドカラー３５は、ピストン３に対して軸方向の相対移動が可能となっている。
【００２５】
ピストン３の前端部の外周と継手本体１の内周との間には、係止片押動用プッシャー４が軸方向の移動可能に且つスプリング４１により前方（係止片２を斜め前方に押動する方向）へ付勢されて設けられている。
【００２６】
継手本体１の外周には、スリーブ５が軸方向の移動可能に且つスプリング５１により前方（ロック方向）へ付勢された状態で設けられている。スリーブ５の中間部は、ロックボール１３を外周側から押圧する押圧部５aとされ、この押圧部５aよりも前方内周にはロックボール１３との干渉を回避するための逃がし凹部５bが形成されている。また、スリーブ３２の前端部内周には、係止片２の外周の受け斜面２fを後方から押してその係止片２を内周側（係合位置側）へ押動する押動斜面５cが形成されている。さらに、この押動斜面５cよりも前方には、係合位置にある係止片２を解除位置側への変位規制する規制部５dが形成されている。また、スリーブ５の外周には、このスリーブ５を後方（ロック解除方向）へスライド操作するための指掛け部５eが形成されている。
【００２７】
次に、本実施形態の作用について説明する。図４に示すように、スリーブ５を後退させると、ロックボール１３が外周側へ変位してその一部が逃がし凹部５bに嵌合される。ロックボール１３は、ボール押動用スリーブ３５により内周側への変位を規制されているので、スリーブ５はその逃がし凹部５bとロックボール１３との係合により後退位置に保持される。したがって、係止片２は、スリーブ５で押されて係合位置方向（内周側）へ変位するということがない。また、ロックボール１３が外周側に変位するので、ピストン３は、スプリング３１の付勢により所定の接続位置よりも前方へ進出する。すると、プッシャー４が係止片２の後傾斜面２eを押圧して係止片２を前方上方（斜め上方）に押し上げ、雄ねじ状接続部Ｍを待ち受ける。
【００２８】
この状態から相手側筒状部材Ｔを接続する際には、継手本体１内に雄ねじ状接続部Ｍを挿入してその先端をピストン３のパッキン３２とシールＯリング３３に当接させ、さらにスプリング３１の付勢に抗して所定の深さまで押し込むようにする。すると、ピストン３が後退し、それに伴ってボール押動用スライドカラー３５が後退する。すると、ロックボール１３がスプリング５１の付勢により逃がし凹部５bの後端で押されて内周側へ変位し、ロックボール１３との係合を解除されたスリーブ５は、スプリング５１の付勢により前進する。もし、操作中にスリーブ５が前進しなければ、雄ねじ状接続部Ｍを更に深く押し込むようにする。スリーブ５が前進するのに伴い、その押動斜面５cが係止片２の受け斜面２fを押し、これにより係止片２は、内周側へ押動されて係合位置に変位する。すると、雌ネジ部２aが雄ねじ状接続部Ｍと係合し、もって管継手Ｃと相手側筒状部材Ｔとが図１の接続状態となる。
【００２９】
この係合状態（図１の接続状態）から相手側筒状部材Ｔを離脱する際には、図１に示す状態からスリーブ５を手で後方にスライドさせる。すると、図４に示すように、ロックボール１３が外周側へ変位してその一部が逃がし凹部５bに嵌合される。ロックボール１３は、ボール押動用スリーブ３５により内周側への変位を規制されているので、スリーブ５はその逃がし凹部５bとロックボール１３との係合により後退位置に保持される。また、ロックボール１３が外周側に変位するので、ピストン３は、スプリング３１の付勢により所定の接続位置よりも前方へ進出する。すると、プッシャー４が係止片２の後傾斜面２eを押圧して係止片２を前方上方（斜め上方）に押し上げ、雄ねじ状接続部Ｍを解除する。
【００３０】
上述のように、本実施形態の管継手において、係止片２は、継手本体１に形成した軸線Ｌと前方方向に鈍角θ（図３参照）をなす傾斜面１１aをもつ切欠部１１内に収容されているだけであり、構造が単純である。
【００３１】
また、係止片２は、切欠部１１内の傾斜面１１aに摺接しつつ傾斜面１１aの傾斜方向への移動を可能とされており、摺接面の摩擦抵抗や異物の咬み込み等による移動不良が起きることがない。
【００３２】
また、切欠部１１は、軸線Ｌと直角をなし傾斜面１１aと背向する直角壁面１１bをもち、係止片２は、前記係合位置に変位したとき直角壁面１１bに当接する後端面２gをもつので、係止片２が解除位置に変位するとき、直角壁面１１bと後端面２gとの間に隙間ができる。その結果、係止片２の解除位置への変位が一層スムーズに行われる。
【００３３】
また、プッシャー４を備えているので、係止片２は切欠部１１内の傾斜面１１aに摺接しつつ傾斜面１１aの傾斜方向へスムーズに移動することができる。
【符号の説明】
【００３４】
１・・・・・・・継手本体
２・・・・・・・係止片
４・・・・・・・プッシャー
１１・・・・・・切欠部
１１a ・・・・・傾斜面
５d・ ・・・・・規制部
Ｃ・・・・・・・管継手
Ｍ・・・・・・・雄ネジ状接続部
Ｔ・・・・・・・相手側筒状部材
Ｌ・・・・・・・軸線
θ・・・・・・・鈍角
Ｌo・ ・・・・・ロック機構
【図１】
2010286061.tif 000003
【図２】
2010286061.tif 000004
【図３】
2010286061.tif 000005
【図４】
2010286061.tif 000006
【図５】
2010286061.tif 000007
【図６】
2010286061.tif 000008